(57)【要約】      （修正有）【課題】傘の下の高温多湿の環境を改善した折畳み可能な傘を提供する。【解決手段】傘１０は、中央支持部材２０と、その遠位端部２２に設けられた折畳み可能なカバー部材３０とを有する。さらに、中央支持部材２０の遠位端部２２の下に位置し且つカバー部材３０の半径方向内方に配置された複数のファンブレード４０を有する。ファンブレード４０は、カバー部材３０が折畳み形態にあるときに中央支持部材２０の中央部分２６に隣接する非作動形態から、カバー部材３０が拡張形態にあるときに中央支持部材２０の半径方向外方に拡張された作動形態まで移動可能である。また、使用者を涼しくする方向に空気を移動させるために、ファンブレード４０を回転させる駆動手段５０を有する。【選択図】図１
0003160853.tif 000002
【実用新案登録請求の範囲】
【請求項１】
使用者を涼しくするための折畳み可能な傘であって、
遠位端部、近位端部、及び前記遠位端部と前記近位端部の間に位置する中央部分を有する全体的に細長い中央支持部材と、
前記中央支持部材の遠位端部のところで前記中央支持部材に係合し、且つ、前記中央支持部材の中央部分に隣接した折畳み形態から、前記中央支持部分から半径方向外方に延びる拡張形態に移動可能な、使用者のよけ部を構成するカバー部材と、
前記中央支持部材の遠位端部の下に位置し且つ前記中央支持部材の周りに半径方向に配置された複数のファンブレードと、を有し、前記複数のファンブレードの各々は、前記カバー部材が折畳み形態にあるときに前記中央支持部材の中央部分に隣接する非作動形態から、前記カバー部材が拡張形態にあるときに前記中央支持部材から半径方向外方に延びる作動形態に移動可能であり、
更に、前記複数のファンブレートが作動形態にあるときに前記カバー部材の近位側に位置する使用者を涼しくする方向に空気を移動させるために、前記複数のファンブレードを前記中央支持部材の周りに回転させる駆動手段を有する、傘。
【請求項２】
前記カバー部材は、前記中央支持部材の遠位端部に枢動可能に係合し且つ前記遠位端部の周りに半径方向に配置された複数の細長いステーと、前記複数のステーに支持されるように係合する変形可能なカバー膜と、を有する請求項１に記載の傘。
【請求項３】
更に、前記中央支持部材の周りに半径方向に配置された複数の細長い支柱を有し、前記複数の支柱の各々は、それに対応するステーに枢動可能に係合する第１の端部と、前記中央支持部材の中央部分に摺動可能に係合する第２の端部とを有し、
前記複数の支柱の第２の端部を遠位方向に押しやると、前記複数の支柱部材は、前記複数のステーを半径方向外方に且つ遠位方向に押しやり、前記カバー部材のステー間の補強部を形成する、請求項２に記載の傘。
【請求項４】
前記複数のファンブレードは、前記複数の支柱と前記中央支持部材の遠位端部との間に配置され、その結果、前記複数の支柱は、前記複数のファンブレードと使用者との間の保護具を形成する、請求項３に記載の傘。
【請求項５】
更に、前記複数の支柱によって支持された折畳み可能な遮蔽部材を有し、
前記複数の支柱は、前記カバー部材が折畳み形態にあるとき、前記中央支持部材とほぼ平行である、請求項４に記載の傘。
【請求項６】
前記駆動手段は、前記複数のファンブレードに隣接して配置される、請求項１〜５の何れか１項に記載の傘。
【請求項７】
前記駆動手段は、直流電気モータとして構成される、請求項６に記載の傘。
【請求項８】
前記直流電気モータは、ロータの半径方向内方に配置されたステータを有し、前記ステー他は、前記中央支持部材に固定されるように係合し、前記ロータは、前記ステータの周りを少なくとも部分的に延び且つ前記ステータに回転可能に係合し、
前記複数のファンブレードの第１の端部は、前記ロータが回転するときに前記複数のファンブレードを前記中央支持部材の周りで回転させるように前記ロータに係合する、請求項７に記載の傘。
【請求項９】
前記直流電気モータは、更に、前記ステータの半径方向外方に配置され且つ前記ステータに固定されるように係合するコイルと、前記コイルと前記ロータとの間で半径方向に配置され且つ前記ロータに固定されるように係合するマグネット部を有する、請求項７に記載の傘。
【請求項１０】
前記複数のファンブレードは、構造的に剛性であり且つロータに枢動可能に係合し、それにより、前記ロータを回転させると、前記複数のファンブレードを作動形態まで半径方向外方に押しやり、前記ロータの回転を停止させると、前記複数のファンブレードが半径方向内方に且つ遠位方向に移動して、前記中央支持部材と実質的に平行になり、前記非作動形態になる、請求項８又は９に記載の傘。
【請求項１１】
前記複数のファンブレードは、構造的に可撓性の材料で形成され、それにより、前記ロータを回転させると、前記複数のファンブレードを作動形態まで半径方向外方に押しやり、前記ロータの回転を停止させると、前記複数のファンブレードが半径方向内方に且つ遠位方向に移動して、前記中央支持部材と実質的に平行になり、前記非作動形態になる、請求項８〜１０の何れか１項に記載の傘。
【請求項１２】
更に、前記中央支持部材によって支持された動力供給源を有する、請求項１〜１１の何れか１項に記載の傘。
【請求項１３】
前記動力供給源は、前記中央支持部材の遠位端部に隣接して前記カバー部材の遠位側に配置される、請求項１２に記載の傘。
【請求項１４】
更に、前記中央支持部材の遠位端部に隣接して前記カバー部材の遠位側に配置されたハウジングを有し、前記動力供給源は、前記ハウジング内に配置される、請求項１３に記載の傘。
【請求項１５】
前記動力供給源は、前記中央支持部材の近位端部のところに又はそれに隣接して配置される、請求項１２に記載の傘。
【請求項１６】
前記動力供給源は、前記中央支持部材の内部に配置される、請求項１５に記載の傘。
【請求項１７】
更に、前記中央支持部材の近位端部に隣接して配置されたハンドル部分を有し、前記動力供給源は、前記ハンドル部分内に配置される、請求項１２に記載の傘。
【請求項１８】
前記動力供給源は、電池の形態で構成される、請求項１２〜１７の何れか１項に記載の傘。
【請求項１９】
前記電池は、充電可能な電池である、請求項１８に記載の傘。
【請求項２０】
前記駆動手段は、前記カバー部材を拡張形態に移動させると作動されるように構成される、請求項１〜１９の何れか１項に記載の傘。
【請求項２１】
更に、カバー部材を拡張形態に移動させたときに前記駆動手段を作動させるように作動可能なスイッチ機構を有する、請求項２０に記載の傘。
【請求項２２】
更に、前記中央支持部材の近位端部に又はそれに隣接して配置され且つ前記駆動手段を作動させるために使用者が操作可能であるスイッチを有する、請求項１〜１９の何れか１項に記載の傘。
【請求項２３】
使用者を涼しくするための傘であって、
遠位端部、近位端部、及び前記遠位端部と前記近位端部の間に位置する中央部分を有する全体的に細長い中央支持部材と、
前記中央支持部材の遠位端部のところで前記中央支持部材に係合し且つ前記中央支持部材から半径方向外方に延びる、使用者のよけ部を構成するカバー部材と、
前記中央支持部材の遠位端部の下に位置し且つ前記中央支持部材の周りに半径方向に配置された複数のファンブレードと、を有し、前記複数のファンブレードの各々は、前記中央支持部材から半径方向外方に延び、
更に、前記カバー部材の近位側に位置する使用者を涼しくする方向に空気を移動させるために、前記複数のファンブレードを前記中央支持部材の周りに回転させるための駆動手段を有する、傘。
【請求項２４】
前記カバー部材は、前記中央支持部材の中央部分に隣接した折畳み形態から、展開形態に移動可能である、請求項２３に記載の傘。
【請求項２５】
前記複数のファンブレードの各々は、前記カバー部材が折畳み形態にあるときに前記中央支持部材の中央部分に隣接する非作動形態から、前記カバー部材が展開形態にあるときに前記中央支持部材から半径方向外方に延びる作動形態に移動可能である、請求項２４に記載の傘。
【請求項２６】
更に、請求項２〜２２のいずれか１項に記載の構成を有する、請求項２３〜２５のいずれか１項に記載の傘。
【請求項２７】
使用者を涼しくするための傘であって、
遠位端部、近位端部、及び前記遠位端部と前記近位端部の間に位置する中央部分を有する全体的に細長い中央支持部材と、
前記中央支持部材の遠位端部のところで前記中央支持部材に係合し且つ前記中央支持部材から半径方向外方に延びる、使用者のよけ部を構成するカバー部材と、
前記中央支持部材の遠位端部の下に位置し且つ前記中央支持部材の周りに半径方向に配置された複数のファンブレードと、を有し、前記複数のファンブレードの各々は、前記中央支持部材から半径方向外方に延び、前記複数のファンブレードは、前記カバー部材に係合し、
更に、前記カバー部材の近位側に位置する使用者を涼しくする方向に空気を移動させるために、前記カバー部材及び前記複数のファンブレードを前記中央支持部材の周りに回転させるための駆動手段を有する、傘。
【請求項２８】
前記カバー部材は、前記中央支持部材の中央部分に隣接した折畳み形態から、展開形態に移動可能である、請求項２７に記載の傘。
【請求項２９】
前記複数のファンブレードの各々は、前記カバー部材が折畳み形態にあるときに前記中央支持部材の中央部分に隣接する非作動形態から、前記カバー部材が展開形態にあるときに前記中央支持部材から半径方向外方に延びる作動形態に移動可能である、請求項２８に記載の傘。
【請求項３０】
更に、請求項２〜２２のいずれか１項記載の構成を有する、請求項２７〜２９のいずれか１項に記載の傘。
【考案の詳細な説明】
【技術分野】
【０００１】
本考案は、傘の分野に関し、より詳細には、使用者を涼しくするための傘に関する。
【背景技術】
【０００２】
傘は、典型的には、雨降り環境における使用者の雨よけの目的で、また、高温の箇所において使用者が太陽の熱をよける目的で、長年にわたって使用され、且つ、適合されてきた。傘は、使用者による個人的使用のために提供されることがあり、その場合、傘は、それが折畳み形態から拡張形態に移動することを可能にする折畳み可能な構成を有している。また、傘は、幾人かの人、即ち、使用者へのよけ部を同時に構成するように大きい形態で形成されることもある。かかる傘は、その下に位置する使用者への雨よけ及び熱よけを構成するために、しばしば、ビーチ環境等の野外で設置するのに使用されたり、テーブルの上方で広げるために使用されたりする。個人的に持運び可能な傘、及び、大きい形態の傘は両方とも、折畳み可能形態で構成されてもよいし、永久形態で構成されてもよい。また、かかる傘は、水に対して不透過性であってもよいし、そうでなくてもよく、水に対して不透過性でない傘は、典型的には、日射環境において使用者への日陰を構成するのに適用可能である。
【考案の概要】
【考案が解決しようとする課題】
【０００３】
高温又は湿度の高い環境において、使用者が個人用の傘又は大きい形態の傘の下に位置するとき、使用者は、典型的には、周囲の熱又は湿度により、又は、傘を形成している材料に起因して傘の下で生じる加熱により、不快感を受ける。傘は、傘の下の加熱効果を少なくとも部分的に低減させるために、太陽光を傘の外面で反射させる反射特性を有する材料で形成されるのがよい。しかしながら、高温及び湿度が高い環境において、使用者は紫外線及び熱から保護されるけれども、依然として不快感を受ける。
【０００４】
本考案は、従来技術の傘が有する幾つかの欠点を少なくとも実質的に改善する傘を提供することにある。
【課題を解決するための手段】
【０００５】
本考案は、第１の側面において、使用者を涼しくするための折畳み可能な傘であって、遠位端部、近位端部、及び遠位端部と近位端部の間に位置する中央部分を有する全体的に細長い中央支持部材と、中央支持部材の遠位端部のところで中央支持部材に係合し、且つ、中央支持部材の中央部分に隣接した折畳み形態から、中央支持部分から半径方向外方に延びる拡張形態に移動可能な、使用者のよけ部を構成するカバー部材と、中央支持部材の遠位端部の下に位置し且つ中央支持部材の周りに半径方向に配置された複数のファンブレードと、を有し、複数のファンブレードの各々は、カバー部材が折畳み形態にあるときに中央支持部材の中央部分に隣接する非作動形態から、カバー部材が拡張形態にあるときに中央支持部材から半径方向外方に延びる作動形態に移動可能であり、更に、ファンブレートが作動形態にあるときにカバー部材の近位側に位置する使用者を涼しくする方向に空気を移動させるために、複数のファンブレードを中央支持部材の周りに回転させる駆動手段を有する、傘を提供する。
【０００６】
好ましくは、カバー部材は、中央支持部材の遠位端部に枢動可能に係合し且つ遠位端部の周りに半径方向に配置された複数の細長いステーと、複数のステーに支持されるように係合する変形可能なカバー膜と、を有する。
【０００７】
傘は、好ましくは、更に、中央支持部材の周りに半径方向に配置された複数の細長い支柱を有し、複数の支柱の各々は、それに対応するステーに枢動可能に係合する第１の端部と、中央支持部材の中央部分に摺動可能に係合する第２の端部とを有し、複数の支柱の第２の端部を遠位方向に押しやると、複数の支柱は、複数のステーを半径方向外方に且つ遠位方向に押しやり、カバー部材のステー間の補強部を形成する。
【０００８】
複数のファンブレードは、好ましくは、複数の支柱と中央支持部材の遠位端部との間に配置され、その結果、複数の支柱は、複数のファンブレードと使用者との間の保護具を形成する。
【０００９】
傘は、好ましくは、更に、複数の支柱によって支持された折畳み可能な遮蔽部材を有し、複数の支柱は、カバー部材が折畳み形態にあるとき、中央支持部材とほぼ平行である。
【００１０】
好ましくは、駆動手段は、複数のファンブレードに隣接して配置され、駆動手段は、直流電気モータとして構成される。
【００１１】
直流電気モータは、好ましくは、ロータの半径方向内方に配置されたステータを有し、ステータは、中央支持部材に固定されるように係合し、ロータは、ステータの周りを少なくとも部分的に延び且つステータに回転可能に係合し、複数のファンブレードの第１の端部は、ロータが回転するときに複数のファンブレードを中央支持部材の周りで回転させるようにロータに係合する。直流電気モータは、更に、ステータの半径方向外方に配置され且つステータに固定されるように係合するコイルと、コイルとロータとの間で半径方向に配置され且つロータに固定されるように係合するマグネット部を有するのがよい。
【００１２】
好ましくは、複数のファンブレードは、構造的に剛性であり且つロータに枢動可能に係合し、それにより、ロータを回転させると、複数のファンブレードを作動形態まで半径方向外方に押しやり、ロータの回転を停止させると、複数のファンブレードが半径方向内方に且つ遠位方向に移動して、中央支持部材と実質的に平行になり、非作動形態になる。
【００１３】
変形例として、複数のファンブレードは、構造的に可撓性の材料で形成され、それにより、ロータを回転させると、複数のファンブレードを作動形態まで半径方向外方に押しやり、ロータの回転を停止させると、複数のファンブレードが半径方向内方に且つ遠位方向に移動して、中央支持部材と実質的に平行になり、非作動形態になる。
【００１４】
傘は、好ましくは、更に、中央支持部材によって支持された動力供給源を有する。動力供給源は、中央支持部材の遠位端部に隣接してカバー部材の遠位側に配置されるのがよい。ハウジングが、中央支持部材の遠位端部に隣接してカバー部材の遠位側に配置され、動力供給源は、ハウジング内に配置されるのがよい。
【００１５】
変形例として、動力供給源は、中央支持部材の近位端部のところに又はそれに隣接して配置されてもよい。また、動力供給源は、中央支持部材の内部に配置されるのがよい。
【００１６】
傘は、更に、中央支持部材の近位端部に隣接して配置されたハンドル部分を有し、動力供給源は、ハンドル部分内に配置されるのがよい。
【００１７】
動力供給源は、電池の形態で構成され、電池は、充電可能な電池であるのがよい。
【００１８】
好ましくは、駆動手段は、カバー部材を拡張形態に移動させると作動されるように構成される。傘は、更に、カバー部材を拡張形態に移動させたときに駆動手段を作動させるように作動可能なスイッチ機構を有するのがよい。
【００１９】
変形例として、傘は、更に、中央支持部材の近位端部に又はそれに隣接して配置され且つ駆動手段を作動させるために使用者が操作可能であるスイッチを有していてもよい。
【００２０】
本考案は、第２の側面において、使用者を涼しくするための傘であって、遠位端部、近位端部、及び遠位端部と近位端部の間に位置する中央部分を有する全体的に細長い中央支持部材と、中央支持部材の遠位端部のところで中央支持部材に係合し且つ中央支持部材から半径方向外方に延びる、使用者のよけ部を構成するカバー部材と、中央支持部材の遠位端部の下に位置し且つ中央支持部材の周りに半径方向に配置された複数のファンブレードと、を有し、複数のファンブレードの各々は、中央支持部材から半径方向外方に延び、更に、カバー部材の近位側に位置する使用者を涼しくする方向に空気を移動させるために、複数のファンブレードを中央支持部材の周りに回転させるための駆動手段を有する、傘を提供する。
【００２１】
第２の側面の１つの実施形態では、カバー部材は、中央支持部材の中央部分に隣接した折畳み形態から、展開形態に移動可能であるのがよい。
【００２２】
第２の側面の他の実施形態では、複数のファンブレードの各々は、カバー部材が折畳み形態にあるときに中央支持部材の中央部分に隣接する非作動形態から、カバー部材が展開形態にあるときに中央支持部材から半径方向外方に延びる作動形態に移動可能であるのがよい。
【００２３】
本考案は、第３の側面において、使用者を涼しくするための傘であって、遠位端部、近位端部、及び遠位端部と近位端部の間に位置する中央部分を有する全体的に細長い中央支持部材と、中央支持部材の遠位端部のところで中央支持部材に係合し且つ中央支持部材から半径方向外方に延びる、使用者のよけ部を構成するカバー部材と、中央支持部材の遠位端部の下に位置し且つ中央支持部材の周りに半径方向に配置された複数のファンブレードと、を有し、複数のファンブレードの各々は、中央支持部材から半径方向外方に延び、複数のファンブレードは、カバー部材に係合し、更に、カバー部材の近位側に位置する使用者を涼しくする方向に空気を移動させるために、カバー部材及び複数のファンブレードを中央支持部材の周りに回転させるための駆動手段を有する、傘を提供する。
【００２４】
第３の側面の１つの実施形態では、カバー部材は、中央支持部材の中央部分に隣接した折畳み形態から、展開形態に移動可能であるのがよい。
【００２５】
第３の側面の他の実施形態では、複数のファンブレードの各々は、カバー部材が折畳み形態にあるときに中央支持部材の中央部分に隣接する非作動形態から、カバー部材が展開形態にあるときに中央支持部材から半径方向外方に延びる作動形態に移動可能であるのがよい。
【００２６】
ここで、添付図面を参照して、非制限的な例に過ぎない本考案の好ましい実施形態を説明する。
【図面の簡単な説明】
【００２７】
【図１】本考案による傘の第１の実施形態の斜視図である。
【図２】図１に示した第１の実施形態を部分的に拡大した断面斜視図である。
【図３】本考案による傘の駆動手段の拡大断面斜視図である。
【図４】本考案による傘のファン組立体の第１の実施形態を示す図である。
【図５】本考案による傘のファン組立体の第２の実施形態を示す図である。
【図６】本考案による傘の動力供給源の拡大断面斜視図である。
【図７】本考案による傘の動力供給源の第２の実施形態の拡大断面斜視図である。
【図８】本考案による傘のスイッチ機構の第１の実施形態を示す図である。
【図９】本考案による傘のスイッチ機構の第２の実施形態を示す図である。
【図１０】図９に示したスイッチ機構の拡大図である。
【図１１】本考案による傘の更なる実施形態の図である。
【図１２】図１１に示した傘のスイッチ機構の第３の実施形態の図である。
【図１３】本考案による傘の駆動手段の他の実施形態の拡大断面図である。
【図１４】図１３に示した駆動手段の分解斜視図である。
【考案を実施するための形態】
【００２８】
以下の説明は、本考案による傘の好ましい実施形態に関する。本考案の理解を容易にするために、本明細書において、本考案のシステムをいくつかの好ましい実施形態で示す添付図面を参照する。実施形態の間の同様の構成要素を同じ参照番号で示す。
【００２９】
図１を参照すると、使用者を涼しくする本考案による折畳み可能な傘１０が示されている。傘１０は、全体的に細長い中央支持部材２０を有し、中央支持部材２０は、遠位端部２２と、近位端部２４と、遠位端部２２と近位端部２４の間に位置する中央部分２６とを有している。傘１０は、更に、折畳み可能なカバー部材３０を有し、カバー部材３０は、使用時に傘１０の下に位置する使用者へのよけ部を構成するように適合されている。カバー部材３０は、中央支持部材２０の遠位端部２２のところで中央支持部材２２と係合しており、中央部分２６に隣接した折畳み形態から、図１に示すように中央支持部材２０から半径方向外方に延びる拡張形態まで移動可能である。傘１０を使用するときにカバー部材３０の下に位置する使用者を涼しくするために、複数のファンブレード４０が設けられている。ファンブレード４０は、中央支持部材２０の遠位端部２２の下方に位置し、中央支持部材２０の周りに半径方向に配置されている。カバー部材３０が図１に示すように拡張形態、即ち、作動形態にあるとき、駆動手段５０が、ファンブレード４０を中央支持部材２０を中心に回転させ、それにより、空気を、傘１０を使用している使用者を涼しくするための方向に移動させる。
【００３０】
カバー部材３０は、複数の細長いステー３２を有し、細長いステー３２は、中央支持部材２０の遠位端部２２のところに枢動可能に係合し、遠位端部２２の周りに半径方向に配置されている。カバー部材３０は、更に、複数の細長い支柱３４を有し、細長い支柱３４は、中央支持部材２０の周りに半径方向に配置され、それぞれの細長いステー３２に枢動可能に係合する第１の端部と、中央支持部材２０の中央部分２６に摺動可能に係合する第２の端部とを有している。複数の細長い支柱３４の第２の端部を遠位方向に押しやると、細長い支柱３４が、細長いステー３２を半径方向外方に且つ遠位方向に押しやり、それにより、細長い支柱３４は、カバー部材３０の細長いステー３２間の補強部を形成する。各ファンブレード４０は、傘１０が折畳み形態にあるときに中央支持部材２０に対して実質的に平行に延びる非作動形態から、図１に示すようにカバー部材３０が拡張形態、即ち、展開形態にあるときに中央支持部材２０から半径方向外方に延びる作動形態まで移動可能に構成されている。ファンブレード４０は、細長い支柱３４と中央支持部材２０の遠位端部２２との間に配置され、それにより、細長い支柱３４は、ファンブレード４０と使用者の間の保護具を形成する。他の実施形態では、本考案の範囲から逸脱することなしに、ファンブレード４０が細長い支柱３４の下に位置していてもよいことを認識すべきである。他の実施形態では、傘１０は、更に、使用者を涼しくすると同時に使用者を一層保護するために、細長い支柱３４によって支持され且つ空気を通すことが可能な折畳み可能な遮蔽部材を有していてもよい。
【００３１】
図２および図３を参照すると、図示のように、駆動手段５０が、複数のファンブレード４０に隣接して配置されている。この実施形態では、駆動手段は、直流電気モータとして構成され、ロータ５４の半径方向内方に配置されたステータ５２を有し、ステータ５２は、中央支持部材２０に固定されるように係合し、ロータ５４は、その少なくとも一部がロータ５２の周りを周方向に延び、ベアリング組立体５６を介してステータ５２に回転可能に係合している。ロータ５４の回転時にファンブレード４０を中央支持部材２０を中心に回転させて使用時に使用者を涼しくするように、ファンブレード４０の第１の端部は、ロータ５４に係合している。
【００３２】
駆動手段５０は、更に、ステータ５２の半径方向外方に位置し且つステータ５２に固定されるように係合しているコイル（図示せず）と、半径方向においてコイルとロータ５４の間に配置され且つロータ５４に固定されるように係合しているマグネット部５８とを有している。
【００３３】
図４を参照すると、ファンブレード４０は、構造的に剛性であり、ロータ５４に枢動継手４２を介して枢動可能に係合し、それにより、傘１０が図１に示すように作動形態にあるときに駆動手段５０を回転させると、ファンブレード４０が作動形態まで半径方向外方に押しやられ、ロータ５４の回転を停止させると、ファンブレード４０が半径方向内方に且つ遠位方向に移動し、ファンブレード４０は、それが非作動形態にあるとき、中央支持部材２０と実質的に平行になる。
【００３４】
図５を参照すると、ファンブレード４０ａの他の実施形態が示され、ファンブレード４０ａは、構造的に可撓性である材料で形成され、それにより、ロータ５４の回転時、ファンブレード４０ａは、作動形態に向かって半径方向外方に押しやられる。ロータ５４の回転を停止させると、ファンブレード４０ａは、半径方向内方に且つ遠位方向に移動し、ファンブレード４０は、それが非作動形態にあるとき、中央支持部材２０と実質的に平行である。他の実施形態のファンブレードが、本考案の範囲から逸脱することなしに設けられてもよいことを認識すべきである。
【００３５】
図６を参照すると、ファンブレード４０を回転させるために駆動手段５０に動力を供給する動力供給源６０が示されている。本実施形態では、動力供給源６０は、中央支持部材２４の遠位端部２２に隣接して位置し、電池６２を収容したハウジング６４を有している。電池６２は、典型的には、乾電池であり、ハウジング６４内に位置したまま充電可能であるのがよい。変形例では、電池６２は、１回使用の電池であり、電池が消耗したとき、電池のハウジング６４を回転させて中央支持部材２０の遠位端部２２から分離させることによって交換されるのがよい。
【００３６】
図７を参照すると、動力供給源６０ａの他の実施形態が示され、図示していないけれども、ハウジング６４ａは、中央支持部材２０の遠位端部２４にハンドルの形態で設けられ、電池６２は、ハンドル６４ａ内に位置している。この実施形態においても、電池６２は、１回使用の電池であってもよいし、図示していないけれども、変形例として、充電可能であってもよく、充電は、電池をハンドルから取外してから行ってもよいし、充電ユニットによって直接行ってもよい。
【００３７】
図８に示すように、更に、作動形態にあるときのファンブレード４０を回転させるように、動力を動力供給源６０から駆動手段５０に供給するためのスイッチ機構７０が設けられている。本実施形態では、スリーブ部材８０が設けられ、スリーブ部材８０を遠位方向に摺動させると、スリーブ部材８０は、支柱３４を半径方向外方に押しやり、また、スリーブ部材８０は、それを適当に変位させたときに、作動ボタン７２をスイッチ構成要素７４に接触させるように押しやるように構成されている。動力を駆動手段に供給する他の形態又は変形例のスイッチ機構７０を、本考案の範囲から逸脱することなしに設けてもよいことを認識すべきである。
【００３８】
図９および図１０を参照すると、変形実施形態によるスイッチ機構７０ａが、中央支持部材２０の遠位端部２４に設けられており、スイッチ機構７０ａは、使用者が操作可能なボタン７２ａと、接点スイッチ７４ａとを有し、接点スイッチ７４ａは、使用者がボタン７２ａを押下げたときにボタン７２ａによって押しやられるように作動可能である。本実施形態においても、他のスイッチ機構７０ａを、本考案の範囲または精神から逸脱することなしに設けてもよいことを認識すべきである。
【００３９】
図１１及び図１２を参照すると、更なる実施形態のスイッチ機構７０ｂが、本考案による変形実施形態の傘１０ａに設けられている。この実施形態では、スイッチ機構７０ｂは、ファンブレード４０ａとスリーブ部材８０ａとの間に位置し、スイッチ７４ｂを作動させるように構成された操作ボタン７２ｂを有している。更なるスリーブ８４ｂが設けられ、更なるスリーブ８４ｂをスリーブ８０ａによって遠位方向に押しやると、更なるスリーブ８４ｂが操作ボタン７２ｂを押しやって、スイッチ７４ｂを作動させ、それにより、動力をモータに供給して、ファンブレード４０ａを回転させる。
【００４０】
図１３及び図１４を参照すると、本考案による駆動手段５０ａ更なる実施形態が示されている。更なる実施形態では、図３に示した駆動手段５０の実施形態とは反対に、ステータ５２ａがロータ５４ａの下に配置されている。この実施形態のいくつかの実施例では、容易に閉じることができる傘が提供される。
【００４１】
本考案の変形実施形態では、カバー部材が固定形態、即ち、開放形態に維持され、且つ、第１の実施形態で説明した駆動手段と同様の又は同じ駆動手段によってファンブレードが回転させられる傘が、本考案の範囲から逸脱することなしに提供されてもよい。かかる傘は、第１の実施形態を参照して説明した持運び形態ではなく、固定形態で利用される。変形例として、他の実施形態では、カバー部材とファンブレードとが固定されるように係合したり一体的に形成されたりしてもよく、それにより、カバー部材又はファンブレードのいずれか一方を駆動手段によって回転させると、カバー部材とファンブレードの両方が回転させられ、使用時に使用者を涼しくする。かかる実施形態では、傘は、折畳み可能であってもよいし、そうでなくてもよく、第１の実施形態を参照して説明したように持運び式の傘であってもよいし、そうでなくてもよい。
【００４２】
当業者は、傘を開閉するための他の駆動手段又は形態を、本考案の範囲及び精神から逸脱することなしに設けてもよいことを認識すべきである。更に、当業者は、本考案による傘の特定の適用例に応じて、適当な材料が用いられてもよいことを認識すべきであり、例えば、カバー部材を形成するのに光屈折材料が使用されてもよく、カバー部材は、湿った環境において水に対して不透過性であるのがよい。
【００４３】
上記実施形態は、本考案を使用するとき、実用新案登録請求の範囲に記載された本考案の範囲及び精神の範囲内に包含されるように、変形形態をとってもよいし、付加的特徴を含んでもよいことを理解すべきである。
【００４４】
本明細書に記載され且つ定められた本考案は、上述した個々の特徴、及び、明細書又は図面から明らかな個々の特徴の２つ以上の変形の組合せ全てに及ぶことを認識すべきである。これらの種々の組合せの全ては、本考案の種々の変形の側面を構成する。
【図１】
0003160853.tif 000003
【図２】
0003160853.tif 000004
【図３】
0003160853.tif 000005
【図４】
0003160853.tif 000006
【図５】
0003160853.tif 000007
【図６】
0003160853.tif 000008
【図７】
0003160853.tif 000009
【図８】
0003160853.tif 000010
【図９】
0003160853.tif 000011
【図１０】
0003160853.tif 000012
【図１１】
0003160853.tif 000013
【図１２】
0003160853.tif 000014
【図１３】
0003160853.tif 000015
【図１４】
0003160853.tif 000016
【手続補正書】
【提出日】平成21年8月17日(2009.8.17)
【手続補正１】
【補正対象書類名】明細書
【補正対象項目名】全文
【補正方法】変更
【補正の内容】
【考案の詳細な説明】
【技術分野】
【０００１】
本考案は、傘の分野に関し、より詳細には、使用者を涼しくするための傘に関する。
【背景技術】
【０００２】
傘は、典型的には、雨降り環境における使用者の雨よけの目的で、また、高温の箇所において使用者が太陽の熱をよける目的で、長年にわたって使用され、且つ、適合されてきた。傘は、使用者による個人的使用のために提供されることがあり、その場合、傘は、それが折畳み形態から拡張形態に移動することを可能にする折畳み可能な構成を有している。また、傘は、幾人かの人、即ち、使用者へのよけ部を同時に構成するように大きい形態で形成されることもある。かかる傘は、その下に位置する使用者への雨よけ及び熱よけを構成するために、しばしば、ビーチ環境等の野外で設置するのに使用されたり、テーブルの上方で広げるために使用されたりする。個人的に持運び可能な傘、及び、大きい形態の傘は両方とも、折畳み可能形態で構成されてもよいし、永久形態で構成されてもよい。また、かかる傘は、水に対して不透過性であってもよいし、そうでなくてもよく、水に対して不透過性でない傘は、典型的には、日射環境において使用者への日陰を構成するのに適用可能である。
【考案の概要】
【考案が解決しようとする課題】
【０００３】
高温又は湿度の高い環境において、使用者が個人用の傘又は大きい形態の傘の下に位置するとき、使用者は、典型的には、周囲の熱又は湿度により、又は、傘を形成している材料に起因して傘の下で生じる加熱により、不快感を受ける。傘は、傘の下の加熱効果を少なくとも部分的に低減させるために、太陽光を傘の外面で反射させる反射特性を有する材料で形成されるのがよい。しかしながら、高温及び湿度が高い環境において、使用者は紫外線及び熱から保護されるけれども、依然として不快感を受ける。
【０００４】
本考案は、従来技術の傘が有する幾つかの欠点を少なくとも実質的に改善する傘を提供することにある。
【課題を解決するための手段】
【０００５】
本考案は、第１の側面において、使用者を涼しくするための折畳み可能な傘であって、遠位端部、近位端部、及び遠位端部と近位端部の間に位置する中央部分を有する全体的に細長い中央支持部材と、中央支持部材の遠位端部のところで中央支持部材に係合し、且つ、中央支持部材の中央部分に隣接した折畳み形態から、中央支持部分から半径方向外方に延びる拡張形態に移動可能な、使用者のよけ部を構成するカバー部材と、中央支持部材の遠位端部の下に位置し且つ中央支持部材の周りに半径方向に配置された複数のファンブレードと、を有し、複数のファンブレードの各々は、カバー部材が折畳み形態にあるときに中央支持部材の中央部分に隣接する非作動形態から、カバー部材が拡張形態にあるときに中央支持部材から半径方向外方に延びる作動形態に移動可能であり、更に、ファンブレートが作動形態にあるときにカバー部材の近位側に位置する使用者を涼しくする方向に空気を移動させるために、複数のファンブレードを中央支持部材の周りに回転させる駆動手段を有し、複数のファンブレードを駆動手段によって回転させたとき、複数のファンブレードは、作動形態まで半径方向外方に押しやられ、複数のファンブレードの回転を駆動手段によって停止させたとき、複数のファンブレードは、半径方向内方に且つ遠位方向に移動させられて、中央支持部材と実質的に平行になり、非作動形態になるように構成される、傘を提供する。
【０００６】
好ましくは、複数のファンブレードは、構造的に剛性であり且つ前記駆動手段に枢動可能に係合する。変形例として、複数のファンブレードは、構造的に可撓性の材料で形成される。
【０００７】
好ましくは、カバー部材は、中央支持部材の遠位端部に枢動可能に係合し且つ遠位端部の周りに半径方向に配置された複数の細長いステーと、複数のステーに支持されるように係合する変形可能なカバー膜と、を有する。
【０００８】
傘は、好ましくは、更に、中央支持部材の周りに半径方向に配置された複数の細長い支柱を有し、複数の支柱の各々は、それに対応するステーに枢動可能に係合する第１の端部と、中央支持部材の中央部分に摺動可能に係合する第２の端部とを有し、複数の支柱の第２の端部を遠位方向に押しやると、複数の支柱は、複数のステーを半径方向外方に且つ遠位方向に押しやり、カバー部材のステー間の補強部を形成する。
【０００９】
複数のファンブレードは、好ましくは、複数の支柱と中央支持部材の遠位端部との間に配置され、その結果、複数の支柱は、複数のファンブレードと使用者との間の保護具を形成する。
【００１０】
傘は、好ましくは、更に、複数の支柱によって支持された折畳み可能な遮蔽部材を有し、複数の支柱は、カバー部材が折畳み形態にあるとき、中央支持部材とほぼ平行である。
【００１１】
好ましくは、駆動手段は、複数のファンブレードに隣接して配置され、駆動手段は、直流電気モータとして構成される。
【００１２】
直流電気モータは、好ましくは、ロータの半径方向内方に配置されたステータを有し、ステータは、中央支持部材に固定されるように係合し、ロータは、ステータの周りを少なくとも部分的に延び且つステータに回転可能に係合し、複数のファンブレードの第１の端部は、ロータが回転するときに複数のファンブレードを中央支持部材の周りで回転させるようにロータに係合する。直流電気モータは、更に、ステータの半径方向外方に配置され且つステータに固定されるように係合するコイルと、コイルとロータとの間で半径方向に配置され且つロータに固定されるように係合するマグネット部を有するのがよい。
【００１３】
傘は、好ましくは、更に、中央支持部材によって支持された動力供給源を有する。動力供給源は、中央支持部材の遠位端部に隣接してカバー部材の遠位側に配置されるのがよい。ハウジングが、中央支持部材の遠位端部に隣接してカバー部材の遠位側に配置され、動力供給源は、ハウジング内に配置されるのがよい。
【００１４】
変形例として、動力供給源は、中央支持部材の近位端部のところに又はそれに隣接して配置されてもよい。また、動力供給源は、中央支持部材の内部に配置されるのがよい。
【００１５】
傘は、更に、中央支持部材の近位端部に隣接して配置されたハンドル部分を有し、動力供給源は、ハンドル部分内に配置されるのがよい。
【００１６】
動力供給源は、電池の形態で構成され、電池は、充電可能な電池であるのがよい。
【００１７】
好ましくは、駆動手段は、カバー部材を拡張形態に移動させると作動されるように構成される。傘は、更に、カバー部材を拡張形態に移動させたときに駆動手段を作動させるように作動可能なスイッチ機構を有するのがよい。
【００１８】
変形例として、傘は、更に、中央支持部材の近位端部に又はそれに隣接して配置され且つ駆動手段を作動させるために使用者が操作可能であるスイッチを有していてもよい。
【００１９】
本考案は、第２の側面において、使用者を涼しくするための傘であって、遠位端部、近位端部、及び遠位端部と近位端部の間に位置する中央部分を有する全体的に細長い中央支持部材と、中央支持部材の遠位端部のところで中央支持部材に係合し且つ中央支持部材から半径方向外方に延びる、使用者のよけ部を構成するカバー部材と、中央支持部材の遠位端部の下に位置し且つ中央支持部材の周りに半径方向に配置された複数のファンブレードと、を有し、複数のファンブレードの各々は、中央支持部材から半径方向外方に延び、更に、カバー部材の近位側に位置する使用者を涼しくする方向に空気を移動させるために、複数のファンブレードを中央支持部材の周りに回転させるための駆動手段を有する、傘を提供する。
【００２０】
第２の側面の１つの実施形態では、カバー部材は、中央支持部材の中央部分に隣接した折畳み形態から、展開形態に移動可能であるのがよい。
【００２１】
第２の側面の他の実施形態では、複数のファンブレードの各々は、カバー部材が折畳み形態にあるときに中央支持部材の中央部分に隣接する非作動形態から、カバー部材が展開形態にあるときに中央支持部材から半径方向外方に延びる作動形態に移動可能であるのがよい。
【００２２】
本考案は、第３の側面において、使用者を涼しくするための傘であって、遠位端部、近位端部、及び遠位端部と近位端部の間に位置する中央部分を有する全体的に細長い中央支持部材と、中央支持部材の遠位端部のところで中央支持部材に係合し且つ中央支持部材から半径方向外方に延びる、使用者のよけ部を構成するカバー部材と、中央支持部材の遠位端部の下に位置し且つ中央支持部材の周りに半径方向に配置された複数のファンブレードと、を有し、複数のファンブレードの各々は、中央支持部材から半径方向外方に延び、複数のファンブレードは、カバー部材に係合し、更に、カバー部材の近位側に位置する使用者を涼しくする方向に空気を移動させるために、カバー部材及び複数のファンブレードを中央支持部材の周りに回転させるための駆動手段を有する、傘を提供する。
【００２３】
第３の側面の１つの実施形態では、カバー部材は、中央支持部材の中央部分に隣接した折畳み形態から、展開形態に移動可能であるのがよい。
【００２４】
第３の側面の他の実施形態では、複数のファンブレードの各々は、カバー部材が折畳み形態にあるときに中央支持部材の中央部分に隣接する非作動形態から、カバー部材が展開形態にあるときに中央支持部材から半径方向外方に延びる作動形態に移動可能であるのがよい。
【００２５】
ここで、添付図面を参照して、非制限的な例に過ぎない本考案の好ましい実施形態を説明する。
【図面の簡単な説明】
【００２６】
【図１】本考案による傘の第１の実施形態の斜視図である。
【図２】図１に示した第１の実施形態を部分的に拡大した断面斜視図である。
【図３】本考案による傘の駆動手段の拡大断面斜視図である。
【図４】本考案による傘のファン組立体の第１の実施形態を示す図である。
【図５】本考案による傘のファン組立体の第２の実施形態を示す図である。
【図６】本考案による傘の動力供給源の拡大断面斜視図である。
【図７】本考案による傘の動力供給源の第２の実施形態の拡大断面斜視図である。
【図８】本考案による傘のスイッチ機構の第１の実施形態を示す図である。
【図９】本考案による傘のスイッチ機構の第２の実施形態を示す図である。
【図１０】図９に示したスイッチ機構の拡大図である。
【図１１】本考案による傘の更なる実施形態の図である。
【図１２】図１１に示した傘のスイッチ機構の第３の実施形態の図である。
【図１３】本考案による傘の駆動手段の他の実施形態の拡大断面図である。
【図１４】図１３に示した駆動手段の分解斜視図である。
【考案を実施するための形態】
【００２７】
以下の説明は、本考案による傘の好ましい実施形態に関する。本考案の理解を容易にするために、本明細書において、本考案のシステムをいくつかの好ましい実施形態で示す添付図面を参照する。実施形態の間の同様の構成要素を同じ参照番号で示す。
【００２８】
図１を参照すると、使用者を涼しくする本考案による折畳み可能な傘１０が示されている。傘１０は、全体的に細長い中央支持部材２０を有し、中央支持部材２０は、遠位端部２２と、近位端部２４と、遠位端部２２と近位端部２４の間に位置する中央部分２６とを有している。傘１０は、更に、折畳み可能なカバー部材３０を有し、カバー部材３０は、使用時に傘１０の下に位置する使用者へのよけ部を構成するように適合されている。カバー部材３０は、中央支持部材２０の遠位端部２２のところで中央支持部材２２と係合しており、中央部分２６に隣接した折畳み形態から、図１に示すように中央支持部材２０から半径方向外方に延びる拡張形態まで移動可能である。傘１０を使用するときにカバー部材３０の下に位置する使用者を涼しくするために、複数のファンブレード４０が設けられている。ファンブレード４０は、中央支持部材２０の遠位端部２２の下方に位置し、中央支持部材２０の周りに半径方向に配置されている。カバー部材３０が図１に示すように拡張形態、即ち、作動形態にあるとき、駆動手段５０が、ファンブレード４０を中央支持部材２０を中心に回転させ、それにより、空気を、傘１０を使用している使用者を涼しくするための方向に移動させる。
【００２９】
カバー部材３０は、複数の細長いステー３２を有し、細長いステー３２は、中央支持部材２０の遠位端部２２のところに枢動可能に係合し、遠位端部２２の周りに半径方向に配置されている。カバー部材３０は、更に、複数の細長い支柱３４を有し、細長い支柱３４は、中央支持部材２０の周りに半径方向に配置され、それぞれの細長いステー３２に枢動可能に係合する第１の端部と、中央支持部材２０の中央部分２６に摺動可能に係合する第２の端部とを有している。複数の細長い支柱３４の第２の端部を遠位方向に押しやると、細長い支柱３４が、細長いステー３２を半径方向外方に且つ遠位方向に押しやり、それにより、細長い支柱３４は、カバー部材３０の細長いステー３２間の補強部を形成する。各ファンブレード４０は、傘１０が折畳み形態にあるときに中央支持部材２０に対して実質的に平行に延びる非作動形態から、図１に示すようにカバー部材３０が拡張形態、即ち、展開形態にあるときに中央支持部材２０から半径方向外方に延びる作動形態まで移動可能に構成されている。ファンブレード４０は、細長い支柱３４と中央支持部材２０の遠位端部２２との間に配置され、それにより、細長い支柱３４は、ファンブレード４０と使用者の間の保護具を形成する。他の実施形態では、本考案の範囲から逸脱することなしに、ファンブレード４０が細長い支柱３４の下に位置していてもよいことを認識すべきである。他の実施形態では、傘１０は、更に、使用者を涼しくすると同時に使用者を一層保護するために、細長い支柱３４によって支持され且つ空気を通すことが可能な折畳み可能な遮蔽部材を有していてもよい。
【００３０】
図２および図３を参照すると、図示のように、駆動手段５０が、複数のファンブレード４０に隣接して配置されている。この実施形態では、駆動手段は、直流電気モータとして構成され、ロータ５４の半径方向内方に配置されたステータ５２を有し、ステータ５２は、中央支持部材２０に固定されるように係合し、ロータ５４は、その少なくとも一部がロータ５２の周りを周方向に延び、ベアリング組立体５６を介してステータ５２に回転可能に係合している。ロータ５４の回転時にファンブレード４０を中央支持部材２０を中心に回転させて使用時に使用者を涼しくするように、ファンブレード４０の第１の端部は、ロータ５４に係合している。
【００３１】
駆動手段５０は、更に、ステータ５２の半径方向外方に位置し且つステータ５２に固定されるように係合しているコイル（図示せず）と、半径方向においてコイルとロータ５４の間に配置され且つロータ５４に固定されるように係合しているマグネット部５８とを有している。
【００３２】
図４を参照すると、ファンブレード４０は、構造的に剛性であり、ロータ５４に枢動継手４２を介して枢動可能に係合し、それにより、傘１０が図１に示すように作動形態にあるときに駆動手段５０を回転させると、ファンブレード４０が作動形態まで半径方向外方に押しやられ、ロータ５４の回転を停止させると、ファンブレード４０が半径方向内方に且つ遠位方向に移動し、ファンブレード４０は、それが非作動形態にあるとき、中央支持部材２０と実質的に平行になる。
【００３３】
図５を参照すると、ファンブレード４０ａの他の実施形態が示され、ファンブレード４０ａは、構造的に可撓性である材料で形成され、それにより、ロータ５４の回転時、ファンブレード４０ａは、作動形態に向かって半径方向外方に押しやられる。ロータ５４の回転を停止させると、ファンブレード４０ａは、半径方向内方に且つ遠位方向に移動し、ファンブレード４０は、それが非作動形態にあるとき、中央支持部材２０と実質的に平行である。他の実施形態のファンブレードが、本考案の範囲から逸脱することなしに設けられてもよいことを認識すべきである。
【００３４】
図６を参照すると、ファンブレード４０を回転させるために駆動手段５０に動力を供給する動力供給源６０が示されている。本実施形態では、動力供給源６０は、中央支持部材２４の遠位端部２２に隣接して位置し、電池６２を収容したハウジング６４を有している。電池６２は、典型的には、乾電池であり、ハウジング６４内に位置したまま充電可能であるのがよい。変形例では、電池６２は、１回使用の電池であり、電池が消耗したとき、電池のハウジング６４を回転させて中央支持部材２０の遠位端部２２から分離させることによって交換されるのがよい。
【００３５】
図７を参照すると、動力供給源６０ａの他の実施形態が示され、図示していないけれども、ハウジング６４ａは、中央支持部材２０の近位端部２４にハンドルの形態で設けられ、電池６２は、ハンドル６４ａ内に位置している。この実施形態においても、電池６２は、１回使用の電池であってもよいし、図示していないけれども、変形例として、充電可能であってもよく、充電は、電池をハンドルから取外してから行ってもよいし、充電ユニットによって直接行ってもよい。
【００３６】
図８に示すように、更に、作動形態にあるときのファンブレード４０を回転させるように、動力を動力供給源６０から駆動手段５０に供給するためのスイッチ機構７０が設けられている。本実施形態では、スリーブ部材８０が設けられ、スリーブ部材８０を遠位方向に摺動させると、スリーブ部材８０は、支柱３４を半径方向外方に押しやり、また、スリーブ部材８０は、それを適当に変位させたときに、作動ボタン７２をスイッチ構成要素７４に接触させるように押しやるように構成されている。動力を駆動手段に供給する他の形態又は変形例のスイッチ機構７０を、本考案の範囲から逸脱することなしに設けてもよいことを認識すべきである。
【００３７】
図９および図１０を参照すると、変形実施形態によるスイッチ機構７０ａが、中央支持部材２０の近位端部２４に設けられており、スイッチ機構７０ａは、使用者が操作可能なボタン７２ａと、接点スイッチ７４ａとを有し、接点スイッチ７４ａは、使用者がボタン７２ａを押下げたときにボタン７２ａによって押しやられるように作動可能である。本実施形態においても、他のスイッチ機構７０ａを、本考案の範囲または精神から逸脱することなしに設けてもよいことを認識すべきである。
【００３８】
図１１及び図１２を参照すると、更なる実施形態のスイッチ機構７０ｂが、本考案による変形実施形態の傘１０ａに設けられている。この実施形態では、スイッチ機構７０ｂは、ファンブレード４０ａとスリーブ部材８０ａとの間に位置し、スイッチ７４ｂを作動させるように構成された操作ボタン７２ｂを有している。更なるスリーブ８４ｂが設けられ、更なるスリーブ８４ｂをスリーブ８０ａによって遠位方向に押しやると、更なるスリーブ８４ｂが操作ボタン７２ｂを押しやって、スイッチ７４ｂを作動させ、それにより、動力をモータに供給して、ファンブレード４０ａを回転させる。
【００３９】
図１３及び図１４を参照すると、本考案による駆動手段５０ａ更なる実施形態が示されている。更なる実施形態では、図３に示した駆動手段５０の実施形態とは反対に、ステータ５２ａがロータ５４ａの下に配置されている。この実施形態のいくつかの実施例では、容易に閉じることができる傘が提供される。
【００４０】
本考案の変形実施形態では、カバー部材が固定形態、即ち、開放形態に維持され、且つ、第１の実施形態で説明した駆動手段と同様の又は同じ駆動手段によってファンブレードが回転させられる傘が、本考案の範囲から逸脱することなしに提供されてもよい。かかる傘は、第１の実施形態を参照して説明した持運び形態ではなく、固定形態で利用される。変形例として、他の実施形態では、カバー部材とファンブレードとが固定されるように係合したり一体的に形成されたりしてもよく、それにより、カバー部材又はファンブレードのいずれか一方を駆動手段によって回転させると、カバー部材とファンブレードの両方が回転させられ、使用時に使用者を涼しくする。かかる実施形態では、傘は、折畳み可能であってもよいし、そうでなくてもよく、第１の実施形態を参照して説明したように持運び式の傘であってもよいし、そうでなくてもよい。
【００４１】
当業者は、傘を開閉するための他の駆動手段又は形態を、本考案の範囲及び精神から逸脱することなしに設けてもよいことを認識すべきである。更に、当業者は、本考案による傘の特定の適用例に応じて、適当な材料が用いられてもよいことを認識すべきであり、例えば、カバー部材を形成するのに光屈折材料が使用されてもよく、カバー部材は、湿った環境において水に対して不透過性であるのがよい。
【００４２】
上記実施形態は、本考案を使用するとき、実用新案登録請求の範囲に記載された本考案の範囲及び精神の範囲内に包含されるように、変形形態をとってもよいし、付加的特徴を含んでもよいことを理解すべきである。
【００４３】
本明細書に記載され且つ定められた本考案は、上述した個々の特徴、及び、明細書又は図面から明らかな個々の特徴の２つ以上の変形の組合せ全てに及ぶことを認識すべきである。これらの種々の組合せの全ては、本考案の種々の変形の側面を構成する。
【手続補正２】
【補正対象書類名】実用新案登録請求の範囲
【補正対象項目名】全文
【補正方法】変更
【補正の内容】
【実用新案登録請求の範囲】
【請求項１】
使用者を涼しくするための折畳み可能な傘であって、
遠位端部、近位端部、及び前記遠位端部と前記近位端部の間に位置する中央部分を有する全体的に細長い中央支持部材と、
前記中央支持部材の遠位端部のところで前記中央支持部材に係合し、且つ、前記中央支持部材の中央部分に隣接した折畳み形態から、前記中央支持部分から半径方向外方に延びる拡張形態に移動可能な、使用者のよけ部を構成するカバー部材と、
前記中央支持部材の遠位端部の下に位置し且つ前記中央支持部材の周りに半径方向に配置された複数のファンブレードと、を有し、前記複数のファンブレードの各々は、前記カバー部材が折畳み形態にあるときに前記中央支持部材の中央部分に隣接する非作動形態から、前記カバー部材が拡張形態にあるときに前記中央支持部材から半径方向外方に延びる作動形態に移動可能であり、
更に、前記複数のファンブレートが作動形態にあるときに、前記カバー部材の近位側に位置する使用者を涼しくする方向に空気を移動させるために、前記複数のファンブレードを前記中央支持部材の周りに回転させる駆動手段を有し、
前記複数のファンブレードを駆動手段によって回転させたとき、前記複数のファンブレードは、作動形態まで半径方向外方に押しやられ、前記複数のファンブレードの回転を前記駆動手段によって停止させたとき、前記複数のファンブレードは、半径方向内方に且つ遠位方向に移動させられて、中央支持部材と実質的に平行になり、非作動形態になるように構成される、傘。
【請求項２】
前記複数のファンブレードは、構造的に剛性であり且つ前記駆動手段に枢動可能に係合する、請求項１に記載の傘。
【請求項３】
前記複数のファンブレードは、構造的に可撓性の材料で形成される、請求項１に記載の傘。
【請求項４】
前記カバー部材は、前記中央支持部材の遠位端部に枢動可能に係合し且つ前記遠位端部の周りに半径方向に配置された複数の細長いステーと、前記複数のステーに支持されるように係合する変形可能な膜と、を有する請求項１に記載の傘。
【請求項５】
更に、前記中央支持部材の周りに半径方向に配置された複数の細長い支柱を有し、前記複数の支柱の各々は、それに対応するステーに枢動可能に係合する第１の端部と、前記中央支持部材の中央部分に摺動可能に係合する第２の端部とを有し、
前記複数の支柱の第２の端部を遠位方向に押しやると、前記複数の支柱は、前記複数のステーを半径方向外方に且つ遠位方向に押しやり、前記カバー部材のステー間の補強部を構成する、請求項４に記載の傘。
【請求項６】
前記複数のファンブレードは、前記複数の支柱と前記中央支持部材の遠位端部との間に配置され、その結果、前記複数の支柱は、前記複数のファンブレードと使用者との間の保護具を形成する、請求項４に記載の傘。
【請求項７】
更に、前記複数の支柱によって支持された折畳み可能な遮蔽部材を有し、
前記複数の支柱は、前記カバー部材が折畳み形態にあるとき、前記中央支持部材とほぼ平行である、請求項６に記載の傘。
【請求項８】
前記駆動手段は、前記複数のファンブレードに隣接して配置される、請求項１〜７の何れか１項に記載の傘。
【請求項９】
前記駆動手段は、直流電気モータとして構成される、請求項８に記載の傘。
【請求項１０】
前記直流電気モータは、ロータの半径方向内方に配置されたステータを有し、前記ステータは、前記中央支持部材に固定されるように係合し、前記ロータは、前記ステータの周りを少なくとも部分的に延び且つ前記ステータに回転可能に係合し、
前記複数のファンブレードの第１の端部は、前記ロータが回転するときに前記複数のファンブレードを前記中央支持部材の周りで回転させるように前記ロータに係合する、請求項９に記載の傘。
【請求項１１】
前記直流電気モータは、更に、前記ステータの半径方向外方に配置され且つ前記ステータに固定されるように係合するコイルと、前記コイルと前記ロータとの間で半径方向に配置され且つ前記ロータに固定されるように係合するマグネット部を有する、請求項９に記載の傘。
【請求項１２】
更に、前記中央支持部材によって支持された動力供給源を有する、請求項１〜１１の何れか１項に記載の傘。
【請求項１３】
前記動力供給源は、前記中央支持部材の遠位端部に隣接して前記カバー部材の遠位側に配置される、請求項１２に記載の傘。
【請求項１４】
更に、前記中央支持部材の遠位端部に隣接して前記カバー部材の遠位側に配置されたハウジングを有し、前記動力供給源は、前記ハウジング内に配置される、請求項１３に記載の傘。
【請求項１５】
前記動力供給源は、前記中央支持部材の近位端部のところに又はそれに隣接して配置される、請求項１２に記載の傘。
【請求項１６】
前記動力供給源は、前記中央支持部材の内部に配置される、請求項１５に記載の傘。
【請求項１７】
更に、前記中央支持部材の近位端部に隣接して配置されたハンドル部分を有し、前記動力供給源は、前記ハンドル部分内に配置される、請求項１２に記載の傘。
【請求項１８】
前記動力供給源は、電池の形態で構成される、請求項１２〜１７の何れか１項に記載の傘。
【請求項１９】
前記電池は、充電可能な電池である、請求項１８に記載の傘。
【請求項２０】
前記駆動手段は、前記カバー部材を拡張形態に移動させると作動されるように構成される、請求項１〜１９の何れか１項に記載の傘。
【請求項２１】
更に、カバー部材を拡張形態に移動させたときに前記駆動手段を作動させるように作動可能なスイッチ機構を有する、請求項２０に記載の傘。
【請求項２２】
更に、前記中央支持部材の近位端部に又はそれに隣接して配置され且つ前記駆動手段を作動させるために使用者が操作可能であるスイッチを有する、請求項１〜１９の何れか１項に記載の傘。
【手続補正書】
【提出日】平成22年3月10日(2010.3.10)
【手続補正１】
【補正対象書類名】実用新案登録請求の範囲
【補正対象項目名】全文
【補正方法】変更
【補正の内容】
【実用新案登録請求の範囲】
【請求項１】
使用者を涼しくするための折畳み可能な傘であって、
遠位端部、近位端部、及び前記遠位端部と前記近位端部の間に位置する中央部分を有する全体的に細長い中央支持部材と、
前記中央支持部材の遠位端部のところで前記中央支持部材に係合し、且つ、前記中央支持部材の中央部分に隣接した折畳み形態から、前記中央支持部分から半径方向外方に延びる拡張形態に移動可能な、使用者のよけ部を構成するカバー部材と、
前記中央支持部材の遠位端部の下に位置し且つ前記中央支持部材の周りに半径方向に配置された複数のファンブレードと、を有し、前記複数のファンブレードの各々は、前記カバー部材が折畳み形態にあるときに前記中央支持部材の中央部分に隣接する非作動形態から、前記カバー部材が拡張形態にあるときに前記中央支持部材から半径方向外方に延びる作動形態に移動可能であり、
更に、前記複数のファンブレートが作動形態にあるときに、前記カバー部材の近位側に位置する使用者を涼しくする方向に空気を移動させるために、前記複数のファンブレードを前記中央支持部材の周りに回転させる駆動手段を有し、
前記複数のファンブレードを駆動手段によって回転させたとき、前記複数のファンブレードは、作動形態まで半径方向外方に押しやられ、前記複数のファンブレードの回転を前記駆動手段によって停止させたとき、前記複数のファンブレードは、半径方向内方に且つ遠位方向に移動させられて、中央支持部材と実質的に平行になり、非作動形態になるように構成される、傘。
【請求項２】
前記複数のファンブレードは、構造的に剛性であり且つ前記駆動手段に枢動可能に係合する、請求項１に記載の傘。
【請求項３】
前記複数のファンブレードは、構造的に可撓性の材料で形成される、請求項１に記載の傘。
【請求項４】
前記カバー部材は、前記中央支持部材の遠位端部に枢動可能に係合し且つ前記遠位端部の周りに半径方向に配置された複数の細長いステーと、前記複数のステーに支持されるように係合する変形可能な膜と、を有する請求項１に記載の傘。
【請求項５】
更に、前記中央支持部材の周りに半径方向に配置された複数の細長い支柱を有し、前記複数の支柱の各々は、それに対応するステーに枢動可能に係合する第１の端部と、前記中央支持部材の中央部分に摺動可能に係合する第２の端部とを有し、
前記複数の支柱の第２の端部を遠位方向に押しやると、前記複数の支柱は、前記複数のステーを半径方向外方に且つ遠位方向に押しやり、前記カバー部材のステー間の補強部を構成する、請求項４に記載の傘。
【請求項６】
前記複数のファンブレードは、前記複数の支柱と前記中央支持部材の遠位端部との間に配置され、その結果、前記複数の支柱は、前記複数のファンブレードと使用者との間の保護具を形成する、請求項５に記載の傘。
【請求項７】
更に、前記複数の支柱によって支持された折畳み可能な遮蔽部材を有し、
前記複数の支柱は、前記カバー部材が折畳み形態にあるとき、前記中央支持部材とほぼ平行である、請求項６に記載の傘。
【請求項８】
前記駆動手段は、前記複数のファンブレードに隣接して配置される、請求項１〜７の何れか１項に記載の傘。
【請求項９】
前記駆動手段は、直流電気モータとして構成される、請求項８に記載の傘。
【請求項１０】
前記直流電気モータは、ロータの半径方向内方に配置されたステータを有し、前記ステータは、前記中央支持部材に固定されるように係合し、前記ロータは、前記ステータの周りを少なくとも部分的に延び且つ前記ステータに回転可能に係合し、
前記複数のファンブレードの第１の端部は、前記ロータが回転するときに前記複数のファンブレードを前記中央支持部材の周りで回転させるように前記ロータに係合する、請求項９に記載の傘。
【請求項１１】
前記直流電気モータは、更に、前記ステータの半径方向外方に配置され且つ前記ステータに固定されるように係合するコイルと、前記コイルと前記ロータとの間で半径方向に配置され且つ前記ロータに固定されるように係合するマグネット部を有する、請求項１０に記載の傘。
【請求項１２】
更に、前記中央支持部材によって支持された動力供給源を有する、請求項１〜１１の何れか１項に記載の傘。
【請求項１３】
前記動力供給源は、前記中央支持部材の遠位端部に隣接して前記カバー部材の遠位側に配置される、請求項１２に記載の傘。
【請求項１４】
更に、前記中央支持部材の遠位端部に隣接して前記カバー部材の遠位側に配置されたハウジングを有し、前記動力供給源は、前記ハウジング内に配置される、請求項１３に記載の傘。
【請求項１５】
前記動力供給源は、前記中央支持部材の近位端部のところに又はそれに隣接して配置される、請求項１２に記載の傘。
【請求項１６】
前記動力供給源は、前記中央支持部材の内部に配置される、請求項１５に記載の傘。
【請求項１７】
更に、前記中央支持部材の近位端部に隣接して配置されたハンドル部分を有し、前記動力供給源は、前記ハンドル部分内に配置される、請求項１２に記載の傘。
【請求項１８】
前記動力供給源は、電池の形態で構成される、請求項１２〜１７の何れか１項に記載の傘。
【請求項１９】
前記電池は、充電可能な電池である、請求項１８に記載の傘。
【請求項２０】
前記駆動手段は、前記カバー部材を拡張形態に移動させると作動されるように構成される、請求項１〜１９の何れか１項に記載の傘。
【請求項２１】
更に、カバー部材を拡張形態に移動させたときに前記駆動手段を作動させるように作動可能なスイッチ機構を有する、請求項２０に記載の傘。
【請求項２２】
更に、前記中央支持部材の近位端部に又はそれに隣接して配置され且つ前記駆動手段を作動させるために使用者が操作可能であるスイッチを有する、請求項１〜１９の何れか１項に記載の傘。
【手続補正書】
【提出日】平成22年4月28日(2010.4.28)
【手続補正１】
【補正対象書類名】実用新案登録請求の範囲
【補正対象項目名】全文
【補正方法】変更
【補正の内容】
【実用新案登録請求の範囲】
【請求項１】
使用者を涼しくするための折畳み可能な傘であって、
遠位端部、近位端部、及び前記遠位端部と前記近位端部の間に位置する中央部分を有する全体的に細長い中央支持部材と、
前記中央支持部材の遠位端部のところで前記中央支持部材に係合し、且つ、前記中央支持部材の中央部分に隣接した折畳み形態から、前記中央支持部材から半径方向外方に延びる拡張形態に移動可能な、使用者のよけ部を構成するカバー部材と、
前記中央支持部材の遠位端部の下に位置し且つ前記中央支持部材の周りに半径方向に配置された複数のファンブレードと、を有し、前記複数のファンブレードの各々は、前記カバー部材が折畳み形態にあるときに前記中央支持部材の中央部分に隣接する非作動形態から、前記カバー部材が拡張形態にあるときに前記中央支持部材から半径方向外方に延びる作動形態に移動可能であり、
更に、前記複数のファンブレードが作動形態にあるときに、前記カバー部材の近位側に位置する使用者を涼しくする方向に空気を移動させるために、前記複数のファンブレードを前記中央支持部材の周りに回転させる駆動手段を有し、
前記複数のファンブレードを駆動手段によって回転させたとき、前記複数のファンブレードは、作動形態まで半径方向外方に押しやられ、前記複数のファンブレードの回転を前記駆動手段によって停止させたとき、前記複数のファンブレードは、半径方向内方に且つ遠位方向に移動させられて、中央支持部材と実質的に平行になり、非作動形態になるように構成される、傘。
【請求項２】
前記複数のファンブレードは、構造的に剛性であり且つ前記駆動手段に枢動可能に係合する、請求項１に記載の傘。
【請求項３】
前記複数のファンブレードは、構造的に可撓性の材料で形成される、請求項１に記載の傘。
【請求項４】
前記カバー部材は、前記中央支持部材の遠位端部に枢動可能に係合し且つ前記遠位端部の周りに半径方向に配置された複数の細長いステーと、前記複数のステーに支持されるように係合する変形可能な膜と、を有する請求項１に記載の傘。
【請求項５】
更に、前記中央支持部材の周りに半径方向に配置された複数の細長い支柱を有し、前記複数の支柱の各々は、それに対応するステーに枢動可能に係合する第１の端部と、前記中央支持部材の中央部分に摺動可能に係合する第２の端部とを有し、
前記複数の支柱の第２の端部を遠位方向に押しやると、前記複数の支柱は、前記複数のステーを半径方向外方に且つ遠位方向に押しやり、前記カバー部材のステー間の補強部を構成する、請求項４に記載の傘。
【請求項６】
前記複数のファンブレードは、前記複数の支柱と前記中央支持部材の遠位端部との間に配置され、その結果、前記複数の支柱は、前記複数のファンブレードと使用者との間の保護具を形成する、請求項５に記載の傘。
【請求項７】
更に、前記複数の支柱によって支持された折畳み可能な遮蔽部材を有し、
前記複数の支柱は、前記カバー部材が折畳み形態にあるとき、前記中央支持部材とほぼ平行である、請求項６に記載の傘。
【請求項８】
前記駆動手段は、前記複数のファンブレードに隣接して配置される、請求項１〜７の何れか１項に記載の傘。
【請求項９】
前記駆動手段は、直流電気モータとして構成される、請求項８に記載の傘。
【請求項１０】
前記直流電気モータは、ロータの半径方向内方に配置されたステータを有し、前記ステータは、前記中央支持部材に固定されるように係合し、前記ロータは、前記ステータの周りを少なくとも部分的に延び且つ前記ステータに回転可能に係合し、
前記複数のファンブレードの第１の端部は、前記ロータが回転するときに前記複数のファンブレードを前記中央支持部材の周りで回転させるように前記ロータに係合する、請求項９に記載の傘。
【請求項１１】
前記直流電気モータは、更に、前記ステータの半径方向外方に配置され且つ前記ステータに固定されるように係合するコイルと、前記コイルと前記ロータとの間で半径方向に配置され且つ前記ロータに固定されるように係合するマグネット部を有する、請求項１０に記載の傘。
【請求項１２】
更に、前記中央支持部材によって支持された動力供給源を有する、請求項１〜１１の何れか１項に記載の傘。
【請求項１３】
前記動力供給源は、前記中央支持部材の遠位端部に隣接して前記カバー部材の遠位側に配置される、請求項１２に記載の傘。
【請求項１４】
更に、前記中央支持部材の遠位端部に隣接して前記カバー部材の遠位側に配置されたハウジングを有し、前記動力供給源は、前記ハウジング内に配置される、請求項１３に記載の傘。
【請求項１５】
前記動力供給源は、前記中央支持部材の近位端部のところに又はそれに隣接して配置される、請求項１２に記載の傘。
【請求項１６】
前記動力供給源は、前記中央支持部材の内部に配置される、請求項１５に記載の傘。
【請求項１７】
更に、前記中央支持部材の近位端部に隣接して配置されたハンドル部分を有し、前記動力供給源は、前記ハンドル部分内に配置される、請求項１２に記載の傘。
【請求項１８】
前記動力供給源は、電池の形態で構成される、請求項１２〜１７の何れか１項に記載の傘。
【請求項１９】
前記電池は、充電可能な電池である、請求項１８に記載の傘。
【請求項２０】
前記駆動手段は、前記カバー部材を拡張形態に移動させると作動されるように構成される、請求項１〜１９の何れか１項に記載の傘。
【請求項２１】
更に、カバー部材を拡張形態に移動させたときに前記駆動手段を作動させるように作動可能なスイッチ機構を有する、請求項２０に記載の傘。
【請求項２２】
更に、前記中央支持部材の近位端部に又はそれに隣接して配置され且つ前記駆動手段を作動させるために使用者が操作可能であるスイッチを有する、請求項１〜１９の何れか１項に記載の傘。